(57)【要約】      （修正有）【課題】塗装用ローラのハンドルと継ぎ足し用の長尺柄とを、スムーズに連結したり分離したりできる連結機構の提供。【解決手段】一方の端部を長尺柄４に連続させる連結部材Ａと、この連結部材に連結する継ぎ手部材Ｂとを備え、連結部材に長尺柄と軸方向を同じにする挿入穴部１１を形成し、この挿入穴部に対して軸方向に抜き差し可能にした軸部１９を設けている。また、連結部材には、挿入穴部に挿入された軸部が抜けるのを防止するストッパー機構を設けている。さらに、継ぎ手部材であって、軸部を形成した側とは反対側に、軸部と軸線を同じにした雄ネジ部が設けられ、この雄ネジ部が塗装用ローラのハンドルに形成された雌ネジ部とねじ結合して継ぎ手部材をハンドルに連結させることができる。【選択図】図１
2020037102.tif 000002
【特許請求の範囲】
【請求項１】
一方の端部を長尺柄に連続させる連結部材と、この連結部材に着脱可能にした連結する継ぎ手部材とを備え、
上記連結部材あるいは上記継ぎ手部材のいずれか一方に、上記長尺柄と軸方向を同じにする挿入穴部を形成し、
上記連結部材あるいは上記継ぎ手部材のいずれか他方に上記挿入穴部に対して軸方向に抜き差し可能にした軸部が形成されるとともに、
上記連結部材あるいは上記継ぎ手部材のいずれか一方には、その挿入穴部に挿入された上記軸部が抜けるのを防止するストッパー機構が設けられ、
上記継ぎ手部材であって、上記軸部もしくは挿入穴部を形成した側とは反対側に、軸部もしくは挿入穴部と軸線を同じにした雄ネジ部が設けられ、
上記雄ネジ部が塗装用ローラのハンドルに形成された雌ネジ部とねじ結合して上記継ぎ手部材が当該ハンドルに連結されるとともに、
上記軸部を上記挿入穴部に挿入したとき、上記連結部材、継ぎ手部材及び連結部材に連続する上記長尺柄のそれぞれが軸方向を同じにして連結される塗装用ローラの長尺柄連結機構。
【請求項２】
上記軸部を断面円形にするとともにその円形の一部を軸方向に伸びる軸側平坦面とし、
上記挿入穴部には、上記軸側平坦面と対応する穴側平坦面を形成し、
これら軸側平坦面と穴側平坦面とで回り止め機構を構成するとともに、
上記軸側平坦面には止め穴を形成し、
上記挿入穴部を形成した上記連結部材あるいは上記継ぎ手部材にはストッパー機構を設け、
このストッパー機構は、上記穴側平坦面に対応する位置に上記挿入穴部の径方向に突出可能にしたストッパーピンが設けられ、このストッパーピンを挿入穴部側に突出させたりあるいは引っ込めたりし、
上記挿入穴部側に突出したストッパーピンが上記止め穴にはまり合ったり抜けたりできる構成にした請求項１に記載の塗装用ローラの長尺柄連結機構。
【請求項３】
上記軸部にパッキンをはめるとともに、上記軸部を上記挿入穴部に挿入した状態で、上記パッキンが径方向及び軸方向に弾性力を作用させる請求項１に記載の塗装用ローラの長尺柄連結機構。
【請求項４】
上記挿入穴部の開口側に拡径部を形成し、この拡径部の内径を挿入穴部の内径よりも大径にして、挿入穴部と拡径部との境界部分に円周方向に連続する段差面が形成され、
上記段差面には、この段差面と一体形成した複数の弾性片を上記円周方向に沿って連続して起立させるとともに、
これら弾性片の外側面が上記円周方向に連続して形成する外周円の直径よりも上記拡径部の内径を大きくして弾性片の上記外周円と拡径部の内周面との間にすき間が形成される構成にし、
上記弾性片の内側面が上記円周方向に連続して形成される内周円の直径は、上記軸部の外径よりも小さくして、上記軸部が上記弾性片の上記内周円内に圧入されたとき、各弾性片が上記すき間方向にたわんで、上記軸部に対して径方向及び軸方向に弾性力が発揮される請求項１又は２に記載の塗装用ローラの長尺柄連結機構。
【発明の詳細な説明】
【技術分野】
【０００１】
この発明は、塗装用ローラのハンドルに長尺柄を連結する連結機構に関する。
【背景技術】
【０００２】
長尺柄を連結する塗装用ローラとして特許文献１に記載されたものが、従来から知られている。この従来の連結機構を示したのが本願に添付した図６〜８である。ただし、図６に示した塗装用ローラＲはこの発明の連結機構でも用いるものである。
上記塗装用ローラＲは、図６〜８に示すように、ハンドル１にワイヤー２を固定するとともに、このワイヤー２にローラ部材３を回転自在に設けている。
【０００３】
このようにした塗装用ローラＲは、原則的には、ハンドル１を直接握って、塗料を含めたローラ部材３を目的の面に転がして使用するものである。したがって、高所の塗装作業では、作業者がはしごや脚立に上って塗装作業をする。
【０００４】
しかし、天井のようにほぼ水平な広い塗装面の場合には、脚立の位置を何回も移動させなければならないし、その都度、脚立の上り下りをしなければならない。そのために、作業効率が著しく悪くなるという問題があった。
また、床面を塗装するときには、体をかがめなければならないので、その作業姿勢に無理が生じ、長時間の連続作業ができなくなるという問題があった。
【０００５】
そこで、ハンドル１とは別に、図７に示す長尺柄４を備えるとともに、ハンドル１には雌ネジ部５を形成し、長尺柄４の先端には雌ネジ部５とねじ結合する雄ネジ部６を形成し、天井や床面を塗装するときには、図８に示すようにハンドル１に長尺柄４を連結できるようにしている。
【０００６】
上記のように長尺柄４を連結した塗装用ローラＲで天井面を塗装するときには、ローラ部材３に含まれた塗料が長尺柄４の方に流れてくる。この状態でローラ部材３を再び塗料容器につけようとすると、ローラ部材３を下に、長尺柄４を上にと、その高さ方向を逆向きにしなければならない。このように高さ方向を逆にすると、長尺柄４に付着していた塗料が逆流して雌ネジ部５にしみこんでいく。
また、塗装面積が大きくなれば、ローラ部材３と長尺柄４の高さ方向を逆向きにする回数も多くなるので、その分、長尺柄４に付着した塗料が雌ネジ部５にしみこんでいく量も多くなる。
【先行技術文献】
【特許文献】
【０００７】
【特許文献１】特許第４１６２９３７号公報
【発明の概要】
【発明が解決しようとする課題】
【０００８】
上記のようにした従来の長尺柄連結機構では、ハンドル１と長尺柄４とをねじ結合しているので、それらのねじの部分に塗料がしみ込んで固まってしまうと、ねじの部分が相対回転できなくなり、結局は、ハンドル１と長尺柄４とを分離できなくなってしまう。
【０００９】
特に、長尺柄の直径はそれほど大きくはないので、それを回そうとしても大きなトルクが得られない。このような条件の中で、ハンドル１と長尺柄４とのねじ結合部分で塗料が固まってしまうと、手ではそれらを相対回転させられなくなる。しかも、長尺柄４に塗料が付着していると、その塗料のぬめりなどで手が滑ってしまい、ねじ結合部分の相対回転がますます難しくなる。
【００１０】
もし、ねじ結合部分を相対回転できなければ、その結合部分を少し洗浄液に浸しておき、結合部分の塗料を溶かすなどしなければならない。しかし、作業途中で洗浄液に浸すようなことをすれば、その作業効率が極端に悪くなる。
【００１１】
一方、強い力でハンドル１を長尺柄４から外そうとすれば、ローラ部材３が不用意に大きく回されたり振れたりしてそこに含まれている塗料が飛散し、せっかくの塗装面を台無しにしたり、他の壁面などを汚したりするなどの問題が発生する。
【００１２】
また、塗装現場によっては、ハンドル１と長尺柄４との連結もしくは分離を何回も繰り返す場合がある。このような場合には、それらをスムーズに連結したり分離したりできなければ、作業効率が落ちてしまうという問題も発生する。
【００１３】
この発明の目的は、ハンドルと長尺柄とを、スムーズに連結したり分離したりできる塗装用ローラの長尺柄連結機構を提供することである。
【課題を解決するための手段】
【００１４】
第１の発明は、連結部材の一方の端部に長尺柄を連続させる構成にしている。なお、長尺柄と連結部材とは、それらが連続する構成であれば、連結部材と長尺柄とを一体にしてもよいし、それらを別部材にしてもよい。
【００１５】
また、上記連結部材とこの連結部材に対して着脱可能にした継ぎ手部材とのいずれか一方に挿入穴部が形成され、いずれか他方に軸部が形成されているが、それらは相対的であって、連結部材に挿入穴部が形成されれば継ぎ手部材にはその挿入穴部に挿入される軸部が形成され、連結部材に軸部が形成されれば継ぎ手部材に挿入穴部が形成される。
【００１６】
そして、上記連結部材あるいは継ぎ手部材のいずれか一方に、挿入穴部に挿入された軸部が抜けるのを防止するストッパー機構が設けられている。
また、上記継ぎ手部材であって挿入穴部あるいは軸部とは反対側には雄ネジ部を設け、この雄ネジ部が塗装用ローラのハンドルに形成した雌ネジ部とねじ結合できる構成にしている。
そして、上記軸部を上記挿入穴部に挿入したとき、上記連結部材、継ぎ手部材及び連結部材に連続する上記長尺柄のそれぞれが軸方向を同じにして連結される。
【００１７】
第２の発明は、上記軸部を断面円形にするとともに、その円形の一部を軸方向に伸びる軸側平坦面としている。また、上記挿入穴部には、上記軸側平坦面と対応する穴側平坦面を形成し、これら軸側平坦面と穴側平坦面とで回り止め機構を構成している。
そして、上記軸側平坦面には止め穴を形成し、上記挿入穴部を形成した連結部材あるいは継ぎ手部材にストッパー機構を設け、このストッパー機構は、上記穴側平坦面に対応する位置に上記挿入穴部の径方向に突出可能にしたストッパーピンが設けられ、このストッパーピンを挿入穴部側に突出させたりあるいは引っ込めたりして、上記挿入穴部側に突出したストッパーピンが上記止め穴にはまり合ったり抜けたりできる構成にしている。
【００１８】
第３の発明は、上記軸部にパッキンをはめるとともに、軸部を上記挿入穴部に挿入した状態で、上記パッキンが径方向及び軸方向に弾性力を発揮する構成にしている。
【００１９】
第４の発明は、上記挿入穴部の開口側に拡径部を形成し、この拡径部の内径を挿入穴部の内径よりも大径にして、挿入穴部と拡径部との境界部分に、上記開口の円周方向に連続する段差面を形成している。そして、この段差面には、段差面と一体形成した複数の弾性片を上記円周方向に沿って連続して起立させている。
【００２０】
上記のようにした弾性片の外側面が上記円周方向に連続して形成する外周円の直径が、上記拡径部の内径よりも小さくし、弾性片の上記外周円と拡径部の内周面との間にすき間が形成されるようにしている。したがって、各弾性片は、上記すき間の範囲でたわんで反り返えることができる。
しかも、上記弾性片の内側面が上記円周方向に連続して形成する内周円の直径は、上記軸部の外径よりも小さくして、上記軸部が上記内周円内に圧入されたとき、各弾性片が上記すき間方向にたわんで、上記軸部に対して径方向及び軸方向に弾性力が発揮される構成にしている。
【発明の効果】
【００２１】
第１の発明の長尺柄連結機構によれば、継ぎ手部材と連結部材とは、軸部と挿入穴部とを軸方向に相対移動させられるので、それらを軸方向に押したり引いたりする力で両者を連結したり分離したりできる。このように軸方向に押したり引いたりする力は、細い長尺柄４を回すときよりも大きな力を発揮できる。
【００２２】
したがって、挿入穴部と軸部との間に塗料がしみ込んだとしても、軸部を挿入穴から強い力でそれを引き抜いて分離できる。このように挿入穴部と軸部との間に塗料がしみ込んでも、それを大きな力で分離できるので、例えば、従来のように、作業途中でそれらを洗浄液に浸すような無駄な時間を費やしたり、ローラ部材が不用意に回されたり振れたりしてそこに含まれている塗料が飛散するようなことがない。
【００２３】
しかも、ハンドルに雌ネジ部が形成されている既成の塗装用ローラのハンドルに加工を加えることなくそのまま使うことができる。
さらに、連結部材あるいは継ぎ手部材には、挿入穴部に挿入された軸部が抜けるのを防止するストッパー機構を設けたので、塗装作業中に塗装用ローラと長尺柄とが不用意に分離することはない。
【００２４】
第２の発明の長尺柄連結機構によれば、軸側平坦面と穴側平坦面とを一致させて軸部を挿入穴部に挿入すれば、ストッパーピンと止め穴との相対位置を必然的に定めることができる。
【００２５】
第３の発明の長尺柄連結機構によれば、上記軸部にパッキンをはめるとともに、軸部を上記挿入穴部に挿入した状態で、上記パッキンが径方向及び軸方向に弾性力を発揮するので、挿入穴部と軸部との結合部分に塗料がしみ込んだりしないとともに、ストッパーピンと止め穴の部分のがたつきを防止できる。
【００２６】
第４の発明によれば、弾性片が段差面を介して本体と一体に形成されているので、連結部材を耐溶剤性の材質で構成することによって、塗料に含まれる溶剤の影響でその弾性力が減衰されることはない。また、弾性片は段差面と一体なので、それらを別部材にした場合と異なり、組付け性が問題にならないし、それらを紛失することもない。
さらに、複数の弾性片の総合的な弾性力を軸部に作用させられるので、個々の弾性片の弾性力が多少ばらついても、全体的にはその弾性力を安定化させることができる。
【図面の簡単な説明】
【００２７】
【図１】第１実施形態の長尺柄の一部とともに連結部材の断面を示した図である。
【図２】第１実施形態の継ぎ手部材の正面図である。
【図３】図２のIII−III線断面図である。
【図４】第２実施形態の連結部材の断面図である。
【図５】第２実施形態の要部の拡大断面図である。
【図６】塗装用ローラの正面図である。
【図７】従来の長尺柄の正面図である。
【図８】従来の長尺柄を塗装用ローラのハンドルに連結した状態の断面図である。
【発明を実施するための形態】
【００２８】
図１〜図３はこの発明の第１実施形態を示すもので、図１においては長尺柄４の先端部分のみを示している。そして、この長尺柄４は従来の構造と基本的には同じであって、その先端に雄ネジ部６を形成している。そして、長尺柄４の構造は、図７，８に示した従来のものと同一である。
【００２９】
また、連結部材Ａは筒状の本体８からなり、この本体８の一方の開口には雌ネジ部９を形成し、この雌ネジ部９に長尺柄４の雄ネジ部６がねじ結合される構成にしている。
なお、図１中符号１０は、本体８であって雌ネジ部９に対応する外周部分に軸方向に長さを保った滑り止め溝で、本体８の周方向にほぼ等間隔に複数形成したものである。このようにした滑り止め溝１０は、この滑り止め溝１０が形成された部分を握って、本体８を長尺柄４と相対回転させるとき、滑り止め機能を発揮するものである。
【００３０】
連結部材Ａの本体８の上記雌ネジ部９とは反対側には挿入穴部１１を形成するとともに、この挿入穴部１１の開口部分には上記挿入穴部１１の内径よりも大きくした拡径部１２を連続させている。したがって、この拡径部１２と挿入穴部１１との間の境界部分には、それら挿入穴部と拡径部との段差分に相当した段差面１３が円周方向に連続的に形成される。このようにした段差面１３は軸線にほぼ直交する。
さらに、挿入穴部１１内には軸方向に伸びる肉厚部１４を円周方向に１か所形成し、この肉厚部１４を段差面１３に臨ませるとともに、この肉厚部１４の内面を穴側平坦面１５としている。
なお、上記穴側平坦面１５は必要に応じて複数個所設けてもよい。
【００３１】
上記のようにした肉厚部１４には、ストッパーピン１６を挿入穴部１１の直径方向に貫通させるとともに、このストッパーピン１６の先端を挿入穴部１１内に突出させたり、挿入穴部１１から退避させたりするレバー１７を本体８の外部に設けている。
【００３２】
上記のようにしたレバー１７は回動支点１８を中心に回動自在であって、図示していないスプリングのばね力で、通常は図示の位置を保ち、ストッパーピン１６を挿入穴部１１内に突出させている。そして、レバー１７を、支点１８を中心に上記スプリングのばね力に抗して回動させると、ストッパーピン１６が挿入穴部１１から退避する構成にしている。
【００３３】
一方、上記連結部材Ａに連結される継ぎ手部材Ｂは、フランジ部２１を挟んでその軸方向の一方を軸部１９とし、他方を雄ネジ部２０としている。しかも、上記軸部１９とフランジ部２１との間には、軸部１９の外径よりも大きく、フランジ部２１の外径よりも小さい外径を保持した大径部１９ａを設けるとともに、この大径部１９ａを連結部材Ａの拡径部１２に挿入可能にしている。
【００３４】
上記軸部１９は断面形状を円形にするとともに、その外径を挿入穴部１１とほぼ同じにして、軸部１９が挿入穴部１１にスムーズに挿入されるようにしている。さらに、この軸部１９の円形の一部を、図３に示すように軸方向に伸びる軸側平坦面２２とし、この軸側平坦面２２にはストッパーピン１６が挿入される止め穴２３が形成されている。したがって、軸部１９の軸側平坦面２２と挿入穴部１１の穴側平坦面１５とを合わせて軸部１９を挿入穴部１１に挿入すれば、ストッパーピン１６と止め穴２３とが同一面側に位置する。
なお、この軸側平坦面２２は、上記穴側平坦面１５と個数も場所も対応させている。
【００３５】
上記フランジ部２１の外径は、上記拡径部１２の外径とほぼ一致させ、軸部１９を挿入穴部１１の軸方向に押し込んだとき、フランジ部２１が拡径部１２の縁に当たるとともに、それらが当たった位置で、それ以上軸部１９を押し込めない状態になる。
なお、符号１９ｂは、軸部１９の先端に形成した面取り部である。
【００３６】
上記大径部１９ａにはパッキン２４をはめるが、このパッキン２４は、図２に示すように、筒部２４aとこの筒部２４ａの開口部分に形成したつば部２４ｂとからなる。そして、上記筒部２４ａの外径は、連結部材Ａの上記拡径部１２の内径よりもわずかに大きくし、この筒部２４ａを弾圧しながら拡径部１２に圧入できる寸法関係を維持している。
【００３７】
一方、つば部２４ｂは、継ぎ手部材Ｂのフランジ部２１を連結部材Ａの拡径部１２の外径に押し付けてこのつば部２４ｂを弾圧したとき、上記ストッパーピン１６と止め穴２３との相対位置が一致するようにしている。
したがって、レバー１７を上記スプリングのばね力に抗して回動し、ストッパーピン１６を上記した退避状態に保って継ぎ手部材Ｂの軸部１９を、連結部材Ａの挿入穴部１１に挿入するとともに、つば部２４ｂを弾圧した状態でレバー１７を開放すれば、ストッパーピン１６が図示していないスプリングのばね力で挿入穴部１１側に突出して、ストッパーピン１６が止め穴２３にはまることになる。
なお、これらストッパーピン１６と止め穴２３とで、この発明のストッパー機構を構成するものである。
【００３８】
上記のようにしてパッキン２４を弾圧した状態でそれを拡径部１２に押し込めば、筒部２４ａによって径方向の弾性力が作用するとともに、つば部２４ｂによって軸方向の弾性力が作用することになる。
したがって、連結部材Ａの拡径部１２の内径と、大径部１９ａの外径との間に多少の寸法誤差があったとしても、上記筒部２４ａの軸方向の弾性力でその寸法誤差は吸収される。このようにがたつきがあってもそれが吸収されるので、例えば継ぎ手部材Ｂの雄ネジ部２０に連結された塗装用ローラＲに対するがたつきが吸収される。もし、長尺柄４の先端における塗装用ローラＲががたつくと、塗装作業に支障をきたすが、上記パッキン２４の弾性力で作業に対する悪影響を防止できる。
【００３９】
一方、上記つば部２４ｂは、拡径部１２の開口縁とフランジ部２１との間に挟まれて弾圧されることによって、連結部材Ａと継ぎ手部材Ｂの両者を軸方向に分離する弾性力を発揮し、それらのがたつきを吸収できる。このようにがたつきを吸収できるので、ストッパーピン１６に対して止め穴２３を多少大きめにしてもよくなり、止め穴２３の厳密な加工精度が求められなくなり、その分、製造効率を上げることができる。
【００４０】
上記のようにした長尺柄連結機構は、先ず、継ぎ手部材Ｂの雄ネジ部２０を塗装用ローラＲのハンドル１に形成された雌ネジ部５にねじ結合して、継ぎ手部材Ｂをハンドル１に連結する。
また、長尺柄４の雄ネジ部６を連結部材Ａの雌ネジ部９にねじ結合して、長尺柄４と連結部材Ａとを連結する。
【００４１】
次に、連結部材Ａの挿入穴部１１に、継ぎ手部材Ｂの軸部１９を挿入するとともに、そのフランジ部２１と連結部材Ａの拡径部１２の開口縁との間で、パッキン２４のつば部２４ｂを強く弾圧するまで軸部１９を挿入穴部１１に押し込む。この過程では、ストッパーピン１６を強制的に退避させておくとともに、止め穴２３と一致した段階で、レバー１７を開放してストッパーピン１６を止め穴２３にはめる。
【００４２】
上記のようにストッパーピン１６が止め穴２３にはまった状態では、パッキン２４のつば部２４ｂの弾性力が軸部１９の軸方向に作用するので、ストッパーピン１６が止め穴２３から抜けたりがたついたりすることが防止されるとともに、長尺柄４とハンドル１との相対回転も防止される。そのために、塗装用ローラＲのローラ部材３の向きなどが安定し、塗装作業がやりやすくなる。
なお、上記穴側平坦面１５、軸側平坦面２２、ストッパーピン１６及び止め穴２３が相まってこの発明の回り止め機構を構成する。
【００４３】
一方、長尺柄４をハンドル１から外すときには、レバー１７を図示していないスプリングのばね力に抗して回動して、ストッパーピン１６を挿入穴部１１から退避させるとともに、継ぎ手部材Ｂの軸部１９と連結部材Ａの挿入穴部１１とを軸方向に相対移動させて、言い換えると、継ぎ手部材Ｂと連結部材Ａとを反対方向に引っ張って両者を分離させる。
【００４４】
そして、ハンドル１側に残った継ぎ手部材Ｂは、そのままハンドル１に取り付けたままにしておいてもよいし、塗装作業終了後にゆっくりと洗浄液に浸してそれらを分離してもよい。
なお、上記第１実施形態では、長尺柄４と連結部材Ａとを別部材にしたが、長尺柄４の先端に連結部材Ａと同一の構成を一体的に設けるようにしてもよい。
【００４５】
図４，５に示した第２実施形態は、連結部材Ａのみを第１実施形態と相違させたもので、継ぎ手部材Ｂは第１実施形態におけるパッキン２４を不要にした以外はすべて同じである。つまり、第２実施形態の継ぎ手部材Ｂには、先端に面取り部１９ｂを備えた軸部１９と、大径部１９ａとを備えている。また、この軸部１９には、連結部材Ａの穴側平坦面１５と対応づけられた軸側平坦面２２を設けるとともに、この軸側平坦面２２には連結部材Ａのストッパーピン１６と対応づけられた止め穴２３を形成し、さらに、大径部１９ａと雄ネジ部２０との間にフランジ部２１を設けている。
【００４６】
また、この第２実施形態の連結部材Ａも、拡径部１２における構成が第１実施形態の連結部材Ａと相違するのみで、その他の構成はすべて第１実施形態と同じである。
つまり、この第２実施形態の連結部材Ａは、本体８に挿入穴部１１を形成し、挿入穴部１１に連続する拡径部１２を形成し、これら挿入穴部１１と拡径部１２との境界部分に段差面１３を形成している。また、上記挿入穴部１１に設けた肉厚部１４に設けた穴側平坦面１５と、この穴側平坦面１４を貫通するとともに止め穴２３と対応づけられたストッパーピン１６と、このストッパーピン１６を挿入穴部１１に突出させたり退避させたりするレバー１７とを設けている。しかも、これらストッパーピン１６と止め穴２３とが相まって、この発明のストッパー機構を構成する点も、第１実施形態と同じである。
【００４７】
第２実施形態における連結部材Ａの拡径部１２であって円周方向に連続する段差面１３には、複数の弾性片２５を上記円周方向に沿って連続して起立させている。なお、これら弾性片２５は、段差面１３を介して本体８と一体に設けている。そして、これら各弾性片２５の先端には、軸部１９の面取り部１９ｂを導入するための円弧部２５ａを形成している。
このようにした弾性片２５は、それら弾性片２５の外側面が上記円周方向に連続して形成される外周円の直径を上記拡径部１２の内径よりも小さくして、弾性片２５と拡径部１２の内面との間にすき間２６が形成されるようにしている。したがって、各弾性片２５は上記すき間２６の方向にたわむことができる。
【００４８】
また、各弾性片２５の内側面が上記円周方向に連続して形成される内周円の直径を、軸部１９の大径部１９ａ外径よりも小さくしている。したがって、軸部１９の大径部１９ａを上記内周円に圧入したとき、大径部１９ａが円弧部２５ａに当たって弾性片２５が押し広げられ、各弾性片２５が上記すき間２６方向にたわむことになる。
【００４９】
また、上記各弾性片２５のうち上記円周方向における９０度の間隔を保って位置する４つの弾性片２５の根元には止め段部２７を形成している。この止め段部２７は、上記内周円に圧入された軸部１９の位置決めをするもので、軸部１９がこの止め段部２７に当たってそれ以上押し込めない位置において、上記ストッパーピン１６と止め穴２３とが対応するようにしている。
【００５０】
なお、この第２実施形態においても、上記連結部材Ａに挿入穴部１１が形成され、継ぎ手部材Ｂに軸部１９が形成されているが、それらの構成は相対的であって、いずれか一方に挿入穴部１１を形成し、いずれか他方に軸部１９が形成されていればよい。この点も第１実施形態と同じである。
【００５１】
次に、連結部材Ａと継ぎ手部材Ｂとを連結する過程を説明する。
まず、連結部材Ａの挿入穴部１１に、継ぎ手部材Ｂの軸部１９を挿入するが、このとき、大径部１９ａが各弾性片２５に形成した円弧部２５ａに摺接して各弾性片２５の上記内周円を拡径する。したがって、各弾性片２５はすき間２６の方向にたわみ、各弾性片２５には軸部１９に圧接する方向の弾性力が作用する。
【００５２】
そして、軸部１９が各弾性片２５の止め段部２７に当たった段階で、ストッパーピン１６と止め穴２３とがはまり合うことになる。なお、このように軸部１９を挿入穴部１１に挿入する過程では、ストッパーピン１６を強制的に退避させておく。そして、ストッパーピン１６と止め穴２３とが一致した段階でレバー１７を開放し、ストッパーピン１６を止め穴２３にはめる。
【００５３】
上記のようにストッパーピン１６が止め穴２３にはまった状態では、軸部１９に対して各弾性片２５の弾性力が径方向に作用するととも軸方向にも作用することになる。したがって、これら弾性片２５は第１実施形態のパッキン２４と同一の作用効果を発揮する。ただし、弾性片２５が本体８と一体に形成されているので、連結部材Ａを耐溶剤性の材質で構成することによって、塗料に含まれる溶剤の影響でその弾性力が減衰されることはない。また、弾性片２５は段差面１３と一体なので、それらを別部材にした場合と異なり、組付け性が問題にならないし、それらを紛失することもない。
【００５４】
さらに、複数の弾性片２５の総合的な弾性力を軸部１９に作用させられるので、個々の弾性片２５の弾性力が多少ばらついても、全体的にはその弾性力を安定化させることができる。
なお、この第２実施形態においても上記穴側平坦面１５及び軸側平坦面２２が相まってこの発明の回り止め機構を構成する。
【産業上の利用可能性】
【００５５】
塗装用ローラで天井面や床面を塗装するために長尺柄を連結して使用する場合に適している。
【符号の説明】
【００５６】
Ｒ…塗装用ローラ、１…ハンドル、４…長尺柄、５…雌ネジ部、Ａ…連結部材、１１…挿入穴部、１５…穴側平坦面、１６…ストッパーピン、Ｂ…継ぎ手部材、１９…軸部、２０…雄ネジ部、２２…軸側平坦面、２３…止め穴、２４…パッキン、２５…弾性片、２６…すき間
【図１】
2020037102.tif 000003
【図２】
2020037102.tif 000004
【図３】
2020037102.tif 000005
【図４】
2020037102.tif 000006
【図５】
2020037102.tif 000007
【図６】
2020037102.tif 000008
【図７】
2020037102.tif 000009
【図８】
2020037102.tif 000010